(57)【特許請求の範囲】
【請求項１】
二次電池と、
前記二次電池へ電力を供給する電力供給手段と、
前記電力供給手段によって電力が供給された二次電池の所定の電圧値（以下「第１の電圧値」という）を含む複数の電圧値を検出する電圧検出手段と、
前記電圧検出手段によって前記第１の電圧値以上の電圧値が連続して検出された時間を計時する第１の計時手段と、
前記第１の計時手段によって計時された時間が所定の時間（以下「第１の時間」という）に達した時点から所定の時間（以下「第２の時間」という）を計時する第２の計時手段と、
前記第１の時間が経過したことと、前記第２の時間が経過したことと、を表示することにより、前記二次電池の蓄電状態の表示をおこなう表示手段と、
を備えたことを特徴とする電子時計。
【請求項２】
前記第２の計時手段は、前記第２の時間として、前記第１の計時手段によって計時された時間が前記第１の時間に達した時点から、前記電圧検出手段によって、前記第１の電圧値よりも高い電圧値（以下「第２の電圧値」という）以上の電圧値が連続して検出された時間を計時することを特徴とする請求項１に記載の電子時計。
【請求項３】
前記電圧検出手段によって検出された電圧値が前記第１の電圧値よりも高い所定の電圧値（以下「第３の電圧値」という）に達した場合に、前記電力供給手段から前記二次電池への過剰な電力供給を防止する防止手段と、
前記第３の電圧値に達した時点から所定の時間（以下「第３の時間」という）を計時する第３の計時手段と、
を備え、
前記表示手段は、前記第３の時間が経過したことと、を表示することにより、前記二次電池の蓄電状態の表示をおこなうことを特徴とする請求項１または２に記載の電子時計。
【請求項４】
前記表示手段は、前記第３の計時手段によって計時された時間に基づいて前記二次電池の満充電の表示をおこなうことを特徴とする請求項３に記載の電子時計。
【請求項５】
二次電池の所定の電圧値（以下「第１の電圧値」という）を含む複数の電圧値を検出する電圧検出工程と、
前記電圧検出工程によって前記第１の電圧値以上の電圧値が連続して検出された時間を計時する第１の計時工程と、
前記第１の計時工程によって計時された時間が所定の時間（以下「第１の時間」という）に達した時点から所定の時間（以下「第２の時間」という）を計時する第２の計時工程と、
前記第１の時間が経過したことと、前記第２の時間が経過したことと、を表示することにより、前記二次電池の蓄電状態の表示をおこなう表示工程と、
を含んだことを特徴とする二次電池の蓄積状態表示方法。
【請求項６】
前記第２の計時工程は、前記第２の時間として、前記第１の計時工程によって計時された時間が前記第１の時間に達した時点から、前記電圧検出工程によって、前記第１の電圧値よりも高い電圧値（以下「第２の電圧値」という）以上の電圧値が連続して検出された時間を計時することを特徴とする請求項５に記載の二次電池の蓄積状態表示方法。
【請求項７】
前記電圧検出工程によって検出された電圧値が前記第１の電圧値よりも高い所定の電圧値（以下「第３の電圧値」という）に達した場合に、前記二次電池への過剰な電力供給を防止する防止工程と、
前記第３の電圧値に達した時点から所定の時間（以下「第３の時間」という）を計時する第３の計時工程と、
を含み、
前記表示工程は、前記第３の時間が経過したことと、を表示することにより、前記二次電池の蓄電状態の表示をおこなうことを特徴とする請求項５または６に記載の二次電池の蓄積状態表示方法。
【請求項８】
前記請求項５〜７のいずれか一つに記載の方法を電子時計または情報処理端末装置に実行させることを特徴とする二次電池の蓄電状態表示プログラム。
【請求項９】
二次電池と、
前記二次電池へ電力を供給する電力供給手段と、
前記電力供給手段によって電力が供給された二次電池の所定の電圧値（以下「第１の電圧値」という）を含む複数の電圧値を検出する電圧検出手段と、
前記電圧検出手段によって前記第１の電圧値以上の電圧値が連続して検出された時間を計時する第１の計時手段と、
前記第１の計時手段によって計時された時間が所定の時間（以下「第１の時間」という）に達した時点から所定の時間（以下「第２の時間という」）を計時する第２の計時手段と、
前記第１の時間が経過したことと、前記第２の時間が経過したことと、を表示することにより、前記二次電池の蓄電状態の表示をおこなう表示手段と、
を備えたことを特徴とする情報処理端末装置。
【請求項１０】
前記表示手段は、
前記第１の時間が経過したことを表示する第１の表示部と、
前記第２の時間が経過したことを表示する第２の表示部と、
を有することを特徴とする請求項１〜４のいずれか一つに記載の電子時計。
【請求項１１】
前記表示手段は、
前記第１の時間が経過したことを表示する第１の表示部と、
前記第２の時間が経過したことを表示する第２の表示部と、
前記第３の時間が経過したことを表示する第３の表示部と、
を有することを特徴とする請求項３または４に記載の電子時計。
【発明の詳細な説明】
【０００１】
【発明の属する技術分野】
この発明は、二次電池を有する電子時計および情報処理端末装置に関し、特に二次電池の蓄電状態を表示する電子時計および情報処理端末装置、二次電池の蓄電状態表示方法、二次電池の蓄電状態表示プログラムに関する。
【０００２】
【従来の技術】
従来から光発電や機械式発電等の発電機能を有する電子時計が商品化されている。これらの電子時計は、特に太陽電池などの発電手段や外部充電器などの電力供給手段からの電力供給を受けて電力を蓄える二次電池を備えている。二次電池は、電力供給手段から出力される電力を蓄え、時計回路を動作させている。この二次電池の進歩は著しく日々蓄電容量の大きな電池が開発されている。
【０００３】
図１２は、二次電池における充電時の蓄電容量および電圧と蓄電時間との関係を表した図である。ここで蓄電容量の単位について説明すると、たとえば１０００μＡｈとは、１０００μＡの定電流放電で１時間放電可能な蓄電量を表している。
【０００４】
図１２においては二次電池に電力を供給する手段として時計用のソーラーセルを使用しており、ソーラーセルに照射する明るさは４００００ルクス（薄曇の屋外程度）としている。図１２に一点鎖線で示したように電力供給を受けてから時間とほぼ比例して蓄電量は増加していく。また点線で示した電池電圧も同様に充電時間と比例関係で増加していくため、電池電圧に基づき二次電池の蓄電量を概ね推定することができる。
【０００５】
しかしながら、電子時計などで一般的に使用されるリチウムイオン二次電池は分極作用と呼ばれる現象が生じることがある。これは比較的大電流にて充電をおこなった場合に、電池電圧のみが上昇してしまい、蓄電量との相対関係が大きく崩れてしまう現象である。したがって単に電池電圧の検出のみで蓄電量を把握しようとすると、所定の電圧を検出した時点で、未だ満充電に達していないにも関わらず満充電と判断し、充電動作を終了してしまい、その結果二次電池に電力を充分に充電できない。この問題を解決するために所定の電圧を一定時間連続検出すると所定の電圧値に到達したと判断する技術が開示されている（たとえば特許文献１参照。）。
【０００６】
ところで、前述のように二次電池の進歩は著しいものがあり、同等の大きさでも蓄電容量の大きな電池が次々と開発製品化されてくる。図１２に示した点線は従来の電池より蓄電容量が大きい二次電池の蓄電量変化を表したている。従来の電池が４０００μＡｈなのに対し、新製品は５０００μＡｈであり２５％アップを実現している。
【０００７】
【特許文献１】
特開平１−１５６７９号公報
【０００８】
【発明が解決しようとする課題】
【０００９】
しかしながら、従来技術にあっては、電池電圧変化曲線には大きな変化がなくほぼ同様である。したがって従来の蓄電量検出システムをそのまま利用すると、二次電池が充分に充電される前に満充電表示をおこなってしまうことになる。さらにこのような電子時計の場合、二次電池の最大電圧定格やアナログ時計用モータの駆動可能な最高電圧に限度があるため、二次電池が所定の電圧（約２．２Ｖ）となるとそれ以上上昇しないように過充電防止回路を動作させることになる。
【００１０】
図１２に示した電池電圧変化曲線の波形部分がこの回路の動作を示しており、間欠的な電池電圧の検出の中で２．２Ｖ以上を検出すると電力供給手段からの二次電池への電力供給を遮断することで所定値を大きく超えることがないように制御している。したがって、この回路の動作中は二次電池に電荷が蓄積されないことになる。
【００１１】
図１２から分かるように従来の二次電池にとってはこの過充電防止回路が動作を開始する時点がほぼ満充電状態に近かったため問題は無かったが、容量の大きな二次電池の場合はまだ電荷が充分に蓄積される前に過充電防止回路によって電荷の供給が少なくなってしまうため、従来のように単に電池電圧と時間だけで充電量を把握することが困難となっていた。
【００１２】
これを解決するためには前述の過充電防止回路が動作する電圧を大きくすることで可能となるが、この値は電池の定格やモータの限界駆動電圧に起因するため容易には変更できない。
【００１３】
以上の背景から、蓄電容量の大きな電池を搭載するためには電圧検出のシステムを変更したり、モータを変更して駆動可能電圧を上げたりするなどしなければ正しい満充電を検出し、表示することは不可能であった。しかし変更にはかなりのコストアップが伴うため商品化へ向けての大きな障害となっていた。
【００１４】
本発明は上記課題を解決しようとするもので、簡易な構成で二次電池の蓄電状態をより正確に表示することが可能な電子時計、二次電池の蓄電状態表示方法、二次電池の蓄電状態表示プログラムおよび情報処理端末装置を提供することを目的とする。
【００１５】
【課題を解決するための手段】
上記目的を達成するための請求項１に記載の発明にかかる電子時計は、二次電池と、前記二次電池へ電力を供給する電力供給手段と、前記電力供給手段によって電力が供給された二次電池の所定の電圧値（以下「第１の電圧値」という）を含む複数の電圧値を検出する電圧検出手段と、前記電圧検出手段によって前記第１の電圧値以上の電圧値が連続して検出された時間を計時する第１の計時手段と、前記第１の計時手段によって計時された時間が所定の時間（以下「第１の時間」という）に達した時点から所定の時間（以下「第２の時間」という）を計時する第２の計時手段と、前記第１の時間が経過したことと、前記第２の時間が経過したことと、を表示することにより、前記二次電池の蓄電状態の表示をおこなう表示手段と、を備えたことを特徴とする。
【００１６】
この請求項１に記載の発明によれば、二次電池の電圧値を検出し、検出された電圧値を用いて蓄電状態を推定する場合において、急激な電圧値の変動に影響されることがない。
【００１７】
また、請求項１に記載の発明において、前記表示手段が、前記第１の計時手段および前記第２の計時手段にそれぞれ対応した表示領域からなり、前記第１の計時手段によって前記第１の時間が計時された場合、または前記第２の計時手段によって前記第２の時間が計時された場合に、各前記表示領域を点灯するようにしてもよい。これによって、蓄電状態を表示領域の点灯によって表すので、蓄電状態を容易に把握できる。
【００１８】
また、前記表示領域が、液晶表示画面により構成されていてもよい。これによって、少ない消費電力で表示することができるとともに、他のディジタル表示と兼用することができる。
【００１９】
また、請求項２に記載の発明にかかる電子時計は、請求項１に記載の発明において、前記第２の計時手段が、前記第２の時間として、前記第１の計時手段によって計時された時間が前記第１の時間に達した時点から、前記電圧検出手段によって、前記第１の電圧値よりも高い電圧値（以下「第２の電圧値」という）以上の電圧値が連続して検出された時間を計時することを特徴とする。
【００２０】
この請求項２に記載の発明によれば、二次電池の電圧値を検出し、検出された電圧値を用いて蓄電状態を推定する場合において、二次電池の電圧値が上がらなかった場合に生じるおそれがある誤表示を防止することができる。
【００２１】
また、請求項３に記載の発明にかかる電子時計は、請求項１または２に記載の発明において、前記電圧検出手段によって検出された電圧値が前記第１の電圧値よりも高い所定の電圧値（以下「第３の電圧値」という）に達した場合に、前記電力供給手段から前記二次電池への過剰な電力供給を防止する防止手段と、前記第３の電圧値に達した時点から所定の時間（以下「第３の時間」という）を計時する第３の計時手段と、を備え、前記表示手段が、前記第３の時間が経過したことと、を表示することにより、前記二次電池の蓄電状態の表示をおこなうことを特徴とする。
【００２２】
この請求項３に記載の発明によれば、二次電池の電圧値を検出し、検出された電圧値を用いて蓄電状態を推定する場合において、過剰な電力の供給となる電圧値に達した場合に生じるおそれがある誤表示を防止することができる。
【００２３】
また、請求項３に記載の発明において、前記第３の計時手段が、前記第３の時間として、前記第３の電圧値に達した時点から、前記第３の電圧値よりも低い所定の電圧値（以下「第４の電圧値」という）以上の電圧値が連続して検出された時間を計時するようにしてもよい。これによって、二次電池の電圧値を検出し、検出された電圧値を用いて蓄電状態を推定する場合において、過剰な電力の供給を防止する際の電圧変動に伴って生じるおそれがある誤表示を防止することができる。
【００２４】
また、請求項３に記載の発明において、前記電圧検出手段によって電圧が検出されている間は、前記防止手段によって、前記電力供給手段から前記二次電池への電力供給を防止するようにしてもよい。これによって、二次電池の電圧値をより正確に検出することができる。
【００２５】
また、請求項４に記載の発明にかかる電子時計は、請求項３に記載の発明において、前記表示手段が、前記第３の計時手段によって計時された時間に基づいて前記二次電池の満充電の表示をおこなうことを特徴とする。
【００２６】
この請求項４に記載の発明によれば、より正確に満充電の表示をおこなうことができる。
【００２７】
また、請求項１〜４のいずれか一つに記載の発明において、前記電力供給手段が、光発電装置であってもよい。
【００２８】
また、請求項５に記載の発明にかかる二次電池の蓄積状態表示方法は、二次電池の所定の電圧値（以下「第１の電圧値」という）を含む複数の電圧値を検出する電圧検出工程と、前記電圧検出工程によって前記第１の電圧値以上の電圧値が連続して検出された時間を計時する第１の計時工程と、前記第１の計時工程によって計時された時間が所定の時間（以下「第１の時間」という）に達した時点から所定の時間（以下「第２の時間」という）を計時する第２の計時工程と、前記第１の時間が経過したことと、前記第２の時間が経過したことと、を表示することにより、前記二次電池の蓄電状態の表示をおこなう表示工程と、を含んだことを特徴とする。
【００２９】
この請求項５に記載の発明によれば、二次電池の電圧値を検出し、検出された電圧値を用いて蓄電状態を推定する場合において、急激な電圧値の変動に影響されることがない。
【００３０】
また、請求項６に記載の発明にかかる二次電池の蓄積状態表示方法は、請求項５に記載の発明において、前記第２の計時工程が、前記第２の時間として、前記第１の計時工程によって計時された時間が前記第１の時間に達した時点から、前記電圧検出工程によって、前記第１の電圧値よりも高い電圧値（以下「第２の電圧値」という）以上の電圧値が連続して検出された時間を計時することを特徴とする。
【００３１】
この請求項６に記載の発明によれば、二次電池の電圧値を検出し、検出された電圧値を用いて蓄電状態を推定する場合において、二次電池の電圧値が上がらなかった場合に生じるおそれがある誤表示を防止することができる。
【００３２】
また、請求項７に記載の発明にかかる二次電池の蓄積状態表示方法は、請求項５または６に記載の発明において、前記電圧検出工程によって検出された電圧値が前記第１の電圧値よりも高い所定の電圧値（以下「第３の電圧値」という）に達した場合に、前記二次電池への過剰な電力供給を防止する防止工程と、前記第３の電圧値に達した時点から所定の時間（以下「第３の時間」という）を計時する第３の計時工程と、を含み、前記表示工程が、前記第３の時間が経過したことと、を表示することにより、前記二次電池の蓄電状態の表示をおこなうことを特徴とする。
【００３３】
この請求項７に記載の発明によれば、二次電池の電圧値を検出し、検出された電圧値を用いて蓄電状態を推定する場合において、過剰な電力の供給となる電圧値に達した場合に生じるおそれがある誤表示を防止することができる。
【００３４】
また、請求項７に記載の発明において、前記第３の計時工程が、前記第３の時間として、前記第３の電圧値に達した時点から、前記第３の電圧値よりも低い所定の電圧値（以下「第４の電圧値」という）以上の電圧値が連続して検出された時間を計時するようにしてもよい。これによって、二次電池の電圧値を検出し、検出された電圧値を用いて蓄電状態を推定する場合において、過剰な電力の供給を防止する際の電圧変動に伴って生じるおそれがある誤表示を防止することができる。
【００３５】
また、請求項８に記載の発明にかかる二次電池の蓄積状態表示プログラムは、前記請求項５〜７のいずれか一つに記載の方法を電子時計または情報処理端末装置に実行させることを特徴とする。
【００３６】
また、請求項９に記載の発明にかかる情報処理端末装置は、二次電池と、前記二次電池へ電力を供給する電力供給手段と、前記電力供給手段によって電力が供給された二次電池の所定の電圧値（以下「第１の電圧値」という）を含む複数の電圧値を検出する電圧検出手段と、前記電圧検出手段によって前記第１の電圧値以上の電圧値が連続して検出された時間を計時する第１の計時手段と、前記第１の計時手段によって計時された時間が所定の時間（以下「第１の時間」という）に達した時点から所定の時間（以下「第２の時間という」）を計時する第２の計時手段と、  前記第１の時間が経過したことと、前記第２の時間が経過したことと、を表示することにより、前記二次電池の蓄電状態の表示をおこなう表示手段と、を備えたことを特徴とする。
【００３７】
この請求項９に記載の発明によれば、二次電池の電圧値を検出し、検出された電圧値を用いて蓄電状態を推定する場合において、急激な電圧値の変動に影響されることがない。
【００３８】
【発明の実施の形態】
（実施の形態１）
以下に添付図面を参照して、この発明にかかる電子時計、二次電池の蓄電状態表示方法、二次電池の蓄電状態表示プログラムおよび情報処理端末装置の好適な実施の形態について詳細に説明する。
【００３９】
（電子時計の構成）
まず、この発明の本実施の形態にかかる電子時計の構成について説明する。図１は、電子時計の構成を示すブロック図である。図１において、１は光発電装置（ソーラーセル）などの発電手段であり、２はリチウムイオン二次電池等の二次電池であり、３は発電手段１の出力電圧が小さい時に二次電池２からの電流が逆流することを防止する逆流防止ダイオードであり、４は二次電池２の電圧を検出し、１．２Ｖ、１．５Ｖおよび１．８Ｖでそれぞれａ〜ｃ端子から“Ｈ”レベルの信号を出力する電圧検出回路Ａであり、５は二次電池２が２．２Ｖを検出すると“Ｈ”レベルの信号を過充電防止信号として出力する電圧検出回路Ｂであり、６は電圧検出回路Ｂ，５からの“Ｈ”レベルの信号（過充電防止信号）の出力に基づいて二次電池２への過充電を防止する過充電防止回路である。
【００４０】
７は、水晶振動子７ａを備え、種々の周波数のパルス信号を出力するパルス作成回路であり、８はパルス作成回路７から受ける所定のパルス信号に基づいてモータ駆動用の信号を作成するモータ駆動パルス作成回路であり、９はモータであり、１０はモータ９で駆動され、図示しない減速輪列を介して駆動され、時刻等を表示する指針であり、１１は二次電池２の蓄電状態を表す蓄電状態表示部である。
【００４１】
１２はセット／リセット付フリップフロップ（以下「ＳＲＦＦ」という）であり、過充電防止回路６が動作するとセットされ電圧検出回路Ａ，４が１．８Ｖを検出していないときはリセットされている。つまり二次電池２の電圧が１．８Ｖを超えてから過充電防止回路６が動作したことを記憶する回路である。１３はタイマーＡで電圧検出回路Ａ，４が１．２Ｖを検出してから１時間経過すると“Ｈ”レベルの信号を出力する。１４はタイマーＢで、タイマーＡ，１３が“Ｈ”レベルを検出後、電圧検出回路Ａ，４が１．５Ｖを検出して１時間経過すると“Ｈ”レベルの信号を出力する。１５はタイマーＣで、ＳＲＦＦ１２およびタイマーＢ，１４が“Ｈ”レベルを出力し、さらに電圧検出回路Ａ，４が１．８Ｖを検出して２時間経過すると“Ｈ”レベルの信号を出力する。１６、１７はＡＮＤゲートであり、１８はＯＲゲートである。なお、各タイマー１３〜１５の計時時間は、二次電池２の特性などに合わせて、任意に設定することができる。
【００４２】
ここで、電圧検出回路Ａ，４、電圧検出回路Ｂ，５は、パルス作成回路７からのサンプリング信号（“Ｈ”レベルの信号）に基づいて間欠的に電圧検出動作をおこなう。たとえば２秒おきに数ミリ秒程度の電圧検出動作をおこなう。そして、前回検出した結果に基づいて、つぎの検出タイミングまでその出力を維持する。また電圧検出タイミングでは過充電防止回路６を動作させて発電手段１からの二次電池２に電力供給されないようにしている。このように電圧検出中に二次電池２と発電手段１を切り離すのは前述した分極の影響をできるだけ受けないようにするためである。
【００４３】
具体的には、電圧検出回路Ｂ，５から出力される“Ｈ”レベルの信号（過充電防止信号）、および、パルス作成回路７から電圧検出回路Ａ，４および電圧検出回路Ｂ，５へ出力されるサンプリング信号のいずれか一方の“Ｈ”レベルの信号がＯＲゲート１８に入力されると、過充電防止回路６に“Ｈ”レベルの信号が入力され、過充電防止回路６が作動する。
【００４４】
つぎに、蓄電状態表示部１１の構成について説明する。図２は、この発明の本実施の形態にかかる電子時計の外観を示す上面図である。図２において、電子時計の表示盤の左下側に設けられた液晶表示画面の一部が蓄電状態表示部１１である。図３は、この発明の本実施の形態にかかる電子時計の蓄電状態表示部を示す説明図であり、蓄電状態表示部１１の部分のみを示している。蓄電状態表示部１１は、一例として３つの表示部分（Ｌｖ１、Ｌｖ２、Ｌｖ３）からなる。
【００４５】
蓄電状態表示部１１は、Ｌｖ１、Ｌｖ２およびＬｖ３がすべて点灯している場合に、二次電池２の蓄電量がレベル３、すなわち満充電であることを示す。そして、Ｌｖ３が消灯し、Ｌｖ１およびＬｖ２のみが点灯している場合は、レベル２であることを示す。レベル２は、レベル３よりは蓄電量が少ない。また、Ｌｖ１のみが点灯している場合は、レベル１であることを示している。レベル１は、レベル２よりも蓄電量が少ないことを示している。さらに、Ｌｖ１、Ｌｖ２およびＬｖ３がすべて消灯している場合は蓄電量がほとんどないかあるいは「０」であることを示している。図３では、Ｌｖ１とＬｖ２のみが点灯され、Ｌｖ３が消灯された状態（レベル２）であることを示している。この状態では、未だ満充電でないことが一目でわかる。
【００４６】
（電子時計の動作の概要）
つぎに、本発明の実施の形態にかかる電子時計の動作の概要について説明する。本発明の性質上二次電池２の蓄電量が０であった場合から説明する。この状態ではすべての構成は動作を停止している。ここで発電手段１が発電を開始すると、二次電池２に電力が徐々に蓄えられる。ここで二次電池２の電圧が１．１Ｖ程度になるとパルス作成回路７内の発振回路（図示を省略）が発振を開始し、モータ９が駆動して指針１０も運針を開始する。しかし、電圧検出回路Ａ，４はその出力がすべて“Ｌ”レベルであるため各タイマー１３〜１５はリセットされており、蓄電状態表示部１１はすべて消灯している。
【００４７】
さらに、二次電池２の蓄電量が増加し、１．２Ｖになるとパルス作成回路７から出力されるタイミングで電圧検出手段Ａ，４のａ端子から“Ｈ”レベルの信号が出力される。したがってタイマーＡ，１３が動作を開始する。タイマーＡ，１３はパルス作成回路７の信号を受け、１時間経過するとタイムアップして“Ｈ”レベルの信号を出力する。つまり二次電池２の電圧が１．２Ｖ以上であることを１時間連続して検出すると“Ｈ”レベルの信号を出力する。この信号は蓄電状態表示部１１のＬｖ１端子に入力され蓄電状態表示部１１は“Ｌｖ１”のみ点灯する。よって使用者は二次電池２の電力状態がレベル１になったことを認識できる。
【００４８】
さらに二次電池２の電圧が上昇し、１．５Ｖになると、電圧検出回路Ａ，４のｂ端子から“Ｈ”レベルの信号が出力される。したがってＡＮＤゲート１６を介してタイマーＢ，１４はリセットを解除される。タイマーＢ，１４もタイマーＡ，１３と同様に１時間を計測すると“Ｈ”レベルの信号を出力し、蓄電状態表示部１１は“Ｌｖ２”が点灯する。よって使用者は二次電池２の蓄電量がレベル２になったことを認識できる。
【００４９】
ここでタイマーＢ，１４のリセット（Ｒ）端子には電圧検出回路Ａ，４の出力と、タイマーＡ１３の出力の両方が“Ｈ”レベルとならないと、リセットが解除されないようになっている。これは急速な電圧上昇で、“Ｌｖ１”点灯後すぐに“Ｌｖ２”が点灯しないようにするためである。このような場合、使用者は二次電池２の蓄電容量が概ね充分であると判断し発電動作をやめてしまう可能性がある。すると短時間で“Ｌｖ２”表示が消灯してしまい、使用者に混乱を招く可能性があるためである。
【００５０】
さらに二次電池２の電圧が上昇し、１．８Ｖとなると、電圧検出回路Ａ，４のｃ端子が“Ｈ”レベルの信号を出力する。タイマーＣ１５は電圧検出回路Ａ，４、タイマーＢ１４およびＳＲＦＦ１２の出力すべてが“Ｈ”レベルにならないとリセットが解除されない。ＳＲＦＦ１２の出力はこの時点では“Ｌ”レベルなのでタイマーＣ１５は動作を開始しない。
【００５１】
さらに二次電池２の電圧値が上昇し、２．２Ｖとなると電圧検出回路Ｂ，５が“Ｈ”レベルの信号を出力する。この信号を受けて過充電防止回路６は動作状態となり発電手段１の発電電力を遮断する。よって二次電池２の蓄電電圧はこれ以上上昇しない。ここで電圧検出回路Ｂ，５の出力が“Ｈ”レベルになるとＳＲＦＦ１２がセットされ“Ｈ”レベルの信号を出力する。よってタイマーＣ１５のリセットが解除される。この状態が２時間継続するとタイマーＣ１５の出力は“Ｈ”レベルとなり表示部１１の“Ｌｖ３”の表示が点灯し、使用者は二次電池２がレベル３つまり満充電状態であることを認識できる。
【００５２】
しかし過充電防止回路６の動作により二次電池２の電圧が１．８Ｖを切るとＳＲＦＦ１２はリセットされタイマーＣ，１５は初期状態に戻る。したがって二次電池２の分極などにより見かけ上の電圧が上昇しているだけでは満充電表示がおこなわれることはない。
【００５３】
（電圧検出回路の動作の内容）
つぎに、電圧検出回路の動作の内容をより詳細に説明する。図４は、この発明の本実施の形態にかかる電子時計の電圧検出回路Ａ，４の動作を示すフローチャートである。図４のフローチャートにおいて、まず、電圧検出回路Ａ，４がリセットされ（ステップＳ４０１）、それによって、各出力端子（ａ端子、ｂ端子、ｃ端子）からは、すべて“Ｌ”レベルの信号を出力する（ステップＳ４０２）。
【００５４】
つぎに、パルス作成回路７からサンプリング信号の入力があったか否かを判断する（ステップＳ４０３）。そして、サンプリング信号が入力されるのを待って、入力された場合（ステップＳ４０３：Ｙｅｓ）は、二次電池２の電圧検出処理をおこなう（ステップＳ４０４）。電圧検出処理の結果、検出された電圧が、１．２Ｖ以上であるか否かを判断する（ステップＳ４０５）。ここで、１．２Ｖ未満である場合（ステップＳ４０５：Ｎｏ）は、各出力端子からは、すべて“Ｌ”レベルの信号を出力し（ステップＳ４０６）、ステップＳ４０３へ戻る。
【００５５】
ステップＳ４０５において、１．２Ｖ以上である場合（ステップＳ４０５：Ｙｅｓ）は、１．５Ｖ以上であるか否かを判断する（ステップＳ４０７）。ここで、１．５Ｖ未満である場合（ステップＳ４０７：Ｎｏ）は、ａ端子から“Ｈ”レベルの信号を出力し、ｂ端子およびｃ端子からは、“Ｌ”レベルの信号を出力し（ステップＳ４０８）、ステップＳ４０３へ戻る。
【００５６】
ステップＳ４０７において、１．５Ｖ以上である場合（ステップＳ４０７：Ｙｅｓ）は、１．８Ｖ以上であるか否かを判断する（ステップＳ４０９）。ここで、１．８Ｖ未満である場合（ステップＳ４０９：Ｎｏ）は、ａ端子およびｂ端子から“Ｈ”レベルの信号を出力し、ｃ端子からは、“Ｌ”レベルの信号を出力し（ステップＳ４１０）、ステップＳ４０３へ戻る。一方、ステップＳ４０９において、１．８Ｖ以上である場合（ステップＳ４０９：Ｙｅｓ）は、各出力端子（ａ端子、ｂ端子、ｃ端子）からは、すべて“Ｈ”レベルの信号を出力し（ステップＳ４１１）、ステップＳ４０３へ戻る。このように、電圧検出回路Ａ，４の各出力端子からは、検出された電圧値に基づいて“Ｈ”レベルの信号が出力されることになる。
【００５７】
図５は、この発明の本実施の形態にかかる電子時計の電圧検出回路Ｂ，５の動作を示すフローチャートである。図５のフローチャートにおいて、まず、電圧検出回路Ｂ，５がリセットされ（ステップＳ５０１）、それによって、出力端子からは、“Ｌ”レベルの信号を出力する（ステップＳ５０２）。
【００５８】
つぎに、パルス作成回路７からサンプリング信号の入力があったか否かを判断する（ステップＳ５０３）。そして、サンプリング信号が入力されるのを待って、入力された場合（ステップＳ５０３：Ｙｅｓ）は、二次電池２の電圧検出処理をおこなう（ステップＳ５０４）。電圧検出処理の結果、検出された電圧が、２．２Ｖ以上であるか否かを判断する（ステップＳ５０５）。ここで、２．２Ｖ未満である場合（ステップＳ５０５：Ｎｏ）は、出力端子からは、“Ｌ”レベルの信号を出力し（ステップＳ５０６）、ステップＳ５０３へ戻る。一方、ステップＳ５０５において、２．２Ｖ以上である場合（ステップＳ５０５：Ｙｅｓ）は、出力端子からは、“Ｈ”レベルの信号を出力し（ステップＳ５０７）、ステップＳ５０３へ戻る。この“Ｈ”レベルの信号が過充電防止信号となる。
【００５９】
（ＳＲＦＦの動作の内容）
つぎに、電圧検出回路の動作の内容をより詳細に説明する。図６は、この発明の本実施の形態にかかる電子時計のＳＲＦＦ１２の動作を示すフローチャートである。図６のフローチャートにおいて、まず、ＳＲＦＦ１２がリセットされ（ステップＳ６０１）、それによって、出力端子からは、“Ｌ”レベルの信号を出力する（ステップＳ６０２）。
【００６０】
つぎに、Ｒ端子に接続されたＮＯＴゲートへの入力が“Ｈ”レベルの信号か否か、すなわち、電圧検出回路Ａ，４のｃ端子から“Ｈ”レベルの信号が出力されているか否かを判断する（ステップＳ６０３）。ここで、ＮＯＴゲートへの入力が“Ｌ”レベルの信号である場合、すなわち電圧検出回路Ａ，４のｃ端子から“Ｌ”レベルの信号が出力されている場合（ステップＳ６０３：Ｎｏ）は、Ｒ端子には“Ｈ”レベルの信号が入力され（ステップＳ６０９）、ステップＳ６０１へ戻って、再びリセットがなされる（ステップＳ６０１）。
【００６１】
ステップＳ６０３において、ＮＯＴゲートへの入力が“Ｈ”レベルの信号である場合、すなわち電圧検出回路Ａ，４のｃ端子から“Ｈ”レベルの信号が出力されている場合（ステップＳ６０３：Ｙｅｓ）は、Ｒ端子には“Ｌ”レベルの信号が入力され（ステップＳ６０４）、したがってリセットが解除される。つぎに、セット（Ｓ）端子に“Ｈ”レベルの信号が入力されたか否か、すなわち電圧検出回路Ｂ，５から過充電防止信号である“Ｈ”レベルの信号が出力されているか否かを判断する（ステップＳ６０５）。ここで、Ｓ端子に“Ｌ”レベルの信号が入力されている場合、すなわち電圧検出回路Ｂ，５から“Ｌ”レベルの信号が出力されている場合（ステップＳ６０５：Ｎｏ）は、ステップＳ６０２へ戻って、出力端子から出力される信号は“Ｌ”のままである。
【００６２】
ステップＳ６０５において、Ｓ端子に“Ｈ”レベルの信号が入力されている場合、すなわち電圧検出回路Ｂ，５から“Ｈ”レベルの信号が出力されている場合（ステップＳ６０５：Ｙｅｓ）は、出力端子から“Ｈ”レベルの信号を出力し、ＡＮＤゲート１７に入力する（ステップＳ６０６）。その後、ＮＯＴゲートへの入力が“Ｈ”レベルの信号であれば（ステップＳ６０７：Ｙｅｓ）、Ｒ端子への入力は、“Ｌ”レベルの信号のままであり（ステップＳ６０８）、リセットが解除され、リセットされることはない。したがって、出力端子からは、“Ｈ”レベルの信号を出力し続ける。一方、ＮＯＴゲートへの入力が“Ｌ”レベルの信号となった場合、すなわち二次電池２の電圧が１．８Ｖ未満となって、電圧検出回路Ａ，４のｃ端子から“Ｌ”レベルの信号が出力された場合（ステップＳ６０７：Ｎｏ）は、Ｒ端子への入力が“Ｈ”レベルの信号となり（ステップＳ６０９）、ステップＳ６０１へ戻って、リセットがなされ（ステップＳ６０１）、出力端子からは、“Ｌ”レベルの信号を出力する（ステップＳ６０２）。
【００６３】
このように動作することによって、二次電池２の電圧が、いったん２．２Ｖとなった後は、１．８Ｖ未満となるまで、出力端子からは“Ｈ”レベルの信号を出力し続ける。これによって、２．２Ｖになった後、過充電防止回路６によって二次電池２への充電が間欠的におこなわれ、それに対応して電圧が２．２Ｖ〜２．１Ｖ程度変動した場合（図１２参照）であっても、出力端子からは“Ｈ”レベルの信号を出力し続ける。
【００６４】
（タイマーの動作の内容）
つぎに、タイマーＡ，１３、タイマーＢ，１４およびタイマーＣ，１５の動作の内容をより詳細に説明する。タイマーＡ，１３、タイマーＢ，１４およびタイマーＣ，１５はいずれも同じ動作をするため、それら３つを「タイマー」として説明する。図７は、この発明の本実施の形態にかかる電子時計のタイマーの動作を示すフローチャートである。図７のフローチャートにおいて、まず、タイマーがリセットされ（ステップＳ７０１）、それによって、出力端子からは、“Ｌ”レベルの信号を出力する（ステップＳ７０２）とともに、計時を開始する（ステップＳ７０３）。
【００６５】
つぎに、Ｒ端子に接続されたＮＯＴゲートへの入力が“Ｈ”レベルの信号か否か、すなわち、タイマーＡ，１３であれば、電圧検出回路Ａ，４のａ端子から“Ｈ”レベルの信号が出力されているか否か、タイマーＢ，１４であれば、ＡＮＤゲート１６の出力側から“Ｈ”レベルの信号が出力されているか否か、タイマーＣ，１５であれば、ＡＮＤゲート１７の出力側から“Ｈ”レベルの信号が出力されているか否かをそれぞれ判断する（ステップＳ７０４）。ここで、ＮＯＴゲートへの入力が“Ｌ”レベルの信号である場合（ステップＳ７０４：Ｎｏ）は、Ｒ端子には“Ｈ”レベルの信号が入力され（ステップＳ７１０）、ステップＳ７０１へ戻って、再びリセットがなされる（ステップＳ７０１）。
【００６６】
ステップＳ７０４において、ＮＯＴゲートへの入力が“Ｈ”レベルの信号である場合、すなわち、タイマーＡ，１３であれば、電圧検出回路Ａ，４のａ端子から“Ｈ”レベルの信号が出力されている場合、タイマーＢ，１４であれば、ＡＮＤゲート１６の出力側から“Ｈ”レベルの信号が出力されている場合、タイマーＣ，１５であれば、ＡＮＤゲート１７の出力側から“Ｈ”レベルの信号が出力されている場合（ステップＳ７０４：Ｙｅｓ）は、Ｒ端子には“Ｌ”レベルの信号が入力され（ステップＳ７０５）、したがって、リセットが解除され、リセットはおこなわれない。
【００６７】
つぎに、所定時間（タイマーＡ，１３およびタイマーＢ，１４は１時間、タイマーＣ，１５は２時間）が経過したか否かを判断する（ステップＳ７０６）。ここで、未だ所定時間が経過していない場合（ステップＳ７０６：Ｎｏ）は、ステップＳ７０４に戻る。そして、ステップＳ７０６において、所定時間を経過した場合（ステップＳ７０６：Ｙｅｓ）は、出力端子から“Ｈ”レベルの信号を出力する（ステップＳ７０７）。その後、ＮＯＴゲートへの入力が“Ｈ”レベルの信号であれば（ステップＳ７０８：Ｙｅｓ）、Ｒ端子への入力は、“Ｌ”レベルの信号のままであり（ステップＳ７０９）、リセットが解除され、リセットされることはない。したがって、出力端子からは、“Ｈ”レベルの信号を出力し続ける（ステップＳ７０７）。
【００６８】
一方、ステップＳ７０８において、ＮＯＴゲートへの入力が“Ｌ”レベルの信号となった場合、すなわち、タイマーＡ，１３であれば、電圧検出回路Ａ，４のａ端子から“Ｌ”レベルの信号が出力された場合、タイマーＢ，１４であれば、ＡＮＤゲート１６の出力側から“Ｌ”レベルの信号が出力された場合、タイマーＣ，１５であれば、ＡＮＤゲート１７の出力側から“Ｌ”レベルの信号が出力された場合（ステップＳ７０８：Ｎｏ）は、Ｒ端子への入力が“Ｈ”レベルの信号となり（ステップＳ７１０）、ステップＳ７０１へ戻って、リセットがなされ（ステップＳ７０１）、出力端子からは“Ｌ”レベルの信号を出力する（ステップＳ７０２）。
【００６９】
このように動作することによって、タイマーＡ，１３は、電圧検出回路Ａ，４が、１．２Ｖを検出した後、１．２Ｖ未満になることなく、１時間連続して１．２Ｖ以上を検出した場合に、“Ｈ”レベルの信号を検出する。そして、“Ｈ”レベルの信号は、蓄積状態表示部１１のＬｖ１を点灯させる。また、タイマーＢ，１４は、ＡＮＤゲート１６によって、電圧検出回路Ａ，４が、１．５Ｖを検出し、かつタイマーＡ，１３によって１時間連続して１．２Ｖ以上を検出した後、１．５Ｖ未満になることなく、１時間連続して１．５Ｖ以上を検出した場合に、“Ｈ”レベルの信号を検出する。そして、“Ｈ”レベルの信号は、蓄積状態表示部１１のＬｖ２を点灯させる。したがって、１．２Ｖを検出してから、少なくとも２時間はＬｖ２は点灯しないようになっている。
【００７０】
また、タイマーＣ，１５は、ＡＮＤゲート１７によって、電圧検出回路Ａ，４が、１．８Ｖを検出し、タイマーＢ，１４によって１時間連続して１．２Ｖ以上を検出し、かつ、ＳＲＦＦ１２によって、２．２Ｖを検出した後、１．８Ｖ未満になることなく、２時間連続して１．８Ｖ以上を検出した場合に、“Ｈ”レベルの信号を検出する。そして、“Ｈ”レベルの信号は、蓄積状態表示部１１のＬｖ３を点灯させる。したがって、１．５Ｖを検出してから少なくとも３時間、１．２Ｖを検出してから少なくとも４時間はＬｖ３は点灯しないようになっている。
【００７１】
（実施の形態２）
つぎに、実施の形態２について説明する。実施の形態２にあっては、実施の形態１と同様の制御をプログラムを用いておこなう。ただし、実施の形態１とは、蓄積状態表示部１１のＬｖ２およびＬｖ３の消灯のタイミングが異なる。
【００７２】
（二次電池の電圧変化時の状態遷移）
まず、この発明の本実施の形態にかかる電子時計の二次電池の電圧変化時の状態遷移について説明する。図８は、この発明の本実施の形態にかかる電子時計の二次電池の電圧変化時の状態遷移を示す説明図である。また、図９、図１０および図１１は、この発明の本実施の形態にかかる電子時計の二次電池の電圧変化時の状態遷移を示すフローチャートである。図８において、蓄積状態表示部１１のＬｖ１、Ｌｖ２、Ｌｖ３が点灯している状態から説明をはじめることとする。
【００７３】
Ｌｖ１、Ｌｖ２、Ｌｖ３が点灯している状態（図９のステップＳ９０１）において、二次電池２の電圧が１．５Ｖ未満を検出したか否かを判断する（ステップＳ９０２）。ここで、１．５Ｖ未満を検出した場合（ステップＳ９０２：Ｙｅｓ）は、Ｌｖ３を消灯し、Ｌｖ１とＬｖ２のみを点灯する（ステップＳ９０３、推移（１））。一方、１．５Ｖ未満を検出しなかった場合（ステップＳ９０２：Ｎｏ）は、図１０のフローチャートに示すステップＳ９２３へ移行する。
【００７４】
つぎに、二次電池２の電圧が１．４Ｖ未満を検出したか否かを判断する（ステップＳ９０４）。ここで、１．４Ｖ未満を検出した場合（ステップＳ９０４：Ｙｅｓ）は、Ｌｖ２も消灯し、Ｌｖ１のみを点灯する（ステップＳ９０５、推移（２））。一方、１．４Ｖ未満を検出しなかった場合（ステップＳ９０４：Ｎｏ）は、図１０のフローチャートに示すステップＳ９１９へ移行する。
【００７５】
つぎに、二次電池２の電圧が、１．２Ｖ未満を検出したか否かを判断する（ステップＳ９０６）。ここで、１．２Ｖ未満を検出した場合（ステップＳ９０６：Ｙｅｓ）は、Ｌｖ１も消灯し、アナログ２秒運針にする（ステップＳ９０７、推移（３））。一方、１．２Ｖ未満を検出しなかった場合（ステップＳ９０６：Ｎｏ）は、図１０のフローチャートに示すステップＳ９１５へ移行する。
【００７６】
さらに、二次電池２の電圧が、１．１Ｖ未満を検出したか否かを判断する（ステップＳ９０８）。ここで、１．１Ｖ未満を検出した場合（ステップＳ９０８：Ｙｅｓ）は、図示を省略する不揮発性メモリに必要なデータを書き込んだ後、すべての運針を停止する（ステップＳ９０９、推移（４））。その後、図１１のフローチャートのステップＳ９３１へ移行する。
【００７７】
図１０において、まず、二次電池２の電圧が１．２Ｖ以上を検出したか否かを判断する（ステップＳ９１１）。ここで、１．２Ｖ以上を検出した場合（ステップＳ９１１：Ｙｅｓ）は、計時を開始する（ステップＳ９１２）。そして、１時間以上連続して検出したか否かを判断する（ステップＳ９１３）。ここで、１時間以上連続して検出した場合（ステップＳ９１３：Ｙｅｓ）は、アナログ１秒運針へ移行し、Ｌｖ１を点灯する（ステップＳ９１４、推移（５））。一方、１．２Ｖ以上を検出しなかった場合（ステップＳ９１１：Ｎｏ）または１時間以上連続して検出しなかった場合（ステップＳ９１３：Ｎｏ）は、図９のフローチャートに示したステップＳ９０８へ移行する。
【００７８】
つぎに、二次電池２の電圧が１．５Ｖ以上を検出したか否かを判断する（ステップＳ９１５）。ここで、１．５Ｖ以上を検出した場合（ステップＳ９１５：Ｙｅｓ）は、計時を開始する（ステップＳ９１６）。そして、１時間以上連続して検出したか否かを判断する（ステップＳ９１７）。ここで、１時間以上連続して検出した場合（ステップＳ９１７：Ｙｅｓ）は、Ｌｖ２を点灯する（ステップＳ９１８、推移（６））。これによって、Ｌｖ１およびＬｖ２が点灯された状態となる。一方、１．５Ｖ以上を検出しなかった場合（ステップＳ９１５：Ｎｏ）または１時間以上連続して検出しなかった場合（ステップＳ９１７：Ｎｏ）は、図９のフローチャートに示したステップＳ９０６へ移行する。
【００７９】
つぎに、二次電池２の電圧が２．２Ｖ以上を検出したか否かを判断する（ステップＳ９１９）。ここで、２．２Ｖ以上を検出するのを待って、検出した場合（ステップＳ９１９：Ｙｅｓ）は、計時を開始する（ステップＳ９２０）。そして、１時間以上連続して１．８Ｖ以上を検出したか否かを判断する（ステップＳ９２１）。ここで、２時間以上連続して１．８Ｖ以上を検出した場合（ステップＳ９２１：Ｙｅｓ）は、Ｌｖ３を点灯する（ステップＳ９２２、推移（７））。これによって、Ｌｖ１、Ｌｖ２、Ｌｖ３のすべてが点灯された状態となる。一方、２時間以上連続して検出しなかった場合（ステップＳ９２１：Ｎｏ）は、図９のフローチャートに示したステップＳ９０４へ移行する。
【００８０】
その後さらに、２．２Ｖ以上を検出したか否かを判断する（ステップＳ９２３）。ここで、２．２Ｖ以上を検出した場合（ステップＳ９２３：Ｙｅｓ）は、過充電防止回路によって充電を禁止する（ステップＳ９２４、推移（８））。つぎに、２．２Ｖ未満を検出するまで充電禁止の状態を継続し、２．２Ｖ未満を検出した場合（ステップＳ９２５：Ｙｅｓ）は、禁止していた充電の許可をおこない（ステップＳ９２６、推移（８））、ステップＳ９２３へ戻る。以下、ステップＳ９２３〜Ｓ９２６の各処理を繰り返しおこなう。そして、ステップＳ９２３において、２．２Ｖ以上を検出しなかった場合（ステップＳ９２３：Ｎｏ）は、図９に示した、ステップＳ９０２へ移行する。
【００８１】
図１１において、図示を省略する不揮発性メモリに必要なデータを書き込んだ後、すべての運針を停止する（ステップＳ９０９、推移（４））した後、１．２Ｖを検出したか否かを判断する（ステップＳ９３１）。そして、１．２Ｖを検出するのを待って、検出した場合（ステップＳ９３１：Ｙｅｓ）は、計時を開始する（ステップＳ９３２）。そして、１時間以上連続して検出したか否かを判断する（ステップＳ９３３）。ここで、１時間以上連続して検出しなかった場合（ステップＳ９３３：Ｎｏ）は、ステップＳ９３１へ戻る。
【００８２】
一方、ステップＳ９３３において、１時間以上連続して検出した場合（ステップＳ９３３：Ｙｅｓ）は、つぎに、針合わせ警告状態とし、運針は基準位置まで動いて停止する（ステップＳ９３４、推移（９））。そして、針合わせをおこなう（ステップＳ９３５）とともに、１．２Ｖ以上を検出したか否か、１．４Ｖ以上を検出したか否か、１．５Ｖ以上を検出したか否かを判断する（ステップＳ９３６、ステップＳ９３７、ステップＳ９３８）。
【００８３】
ここで、１．２Ｖ以上で（ステップＳ９３６：Ｙｅｓ）、１．４Ｖ未満である場合（ステップＳ９３７：Ｎｏ）は、図９のフローチャートに示したステップＳ９０６へ移行する（推移（１０））。また、１．４Ｖ以上で（ステップＳ９３７：Ｙｅｓ）、１．５Ｖ未満である場合（ステップＳ９３８：Ｎｏ）は、図９のフローチャートに示したステップＳ９０４へ移行する（推移（１１））。また、１．５Ｖ以上である場合（ステップＳ９３８：Ｙｅｓ）は、図９のフローチャートに示したステップＳ９０２へ移行する（推移（１２））。
【００８４】
一方、ステップＳ９３６において、１．２Ｖ未満を検出した場合（ステップＳ９３６：Ｎｏ）は、電子時計のディジタル表示を消灯し、運針は基準位置で停止する（ステップＳ９３９、推移（１３））。その後、１．２Ｖ以上を検出したか否かを判断する（ステップＳ９４０）。ここで、１．２Ｖ以上を検出した場合（ステップＳ９４０：Ｙｅｓ）は、計時を開始する（ステップＳ９４２）。そして、３０分以上連続して検出したか否かを判断する（ステップＳ９４３）。ここで、３０分以上連続して検出した場合（ステップＳ９４３：Ｙｅｓ）は、針合わせ警告状態とし、運針はその場で停止させ（ステップＳ９４４）、ステップＳ９３５へ移行する（推移（１３））。
【００８５】
一方、ステップＳ９４０において、１．２Ｖ以上を検出しなかった場合（ステップＳ９４０：Ｎｏ）、または、ステップＳ９４２において、３０分以上連続して検出しなかった場合（ステップＳ９４３：Ｎｏ）は、１．１Ｖ未満を検出したか否かを判断する（ステップＳ９４１）。そして、１．１Ｖ未満を検出しなかった場合（ステップＳ９４１：Ｎｏ）は、ステップＳ９４０へ戻る。一方、１．１Ｖ未満を検出した場合（ステップＳ９４１：Ｙｅｓ）は、図９のフローチャートに示したステップＳ９０９へ移行する（推移（１４））。
【００８６】
以上説明したように、本実施の形態１，２によれば、二次電池２と、二次電池２へ電力を供給する電力供給手段としての発電手段１と、発電手段１によって電力が供給された二次電池２の所定の電圧値（たとえば１．２Ｖ）を含む複数の電圧値を検出する電圧検出回路Ａ，４と、電圧検出回路Ａ，４によって１．２Ｖ以上の電圧値が連続して検出された時間を計時するタイマーＡ，１３と、タイマーＡ，１３によって計時された時間が所定の時間（たとえば１時間）に達した時点から所定の時間（たとえば１時間）を計時するタイマーＢ，１４と、タイマーＡ，１３によって計時された１時間およびタイマーＢ，１４によって計時された１時間に基づいて二次電池２の蓄電状態の表示をおこなう蓄電状態表示部１１と、を備えるため、二次電池２の電圧値を検出し、検出された電圧値を用いて蓄電状態を推定する場合において、急激な電圧値の変動に影響されることがない。
【００８７】
また、本実施の形態１，２によれば、蓄積状態表示部１１が、タイマーＡ，１３、タイマーＢ，１４、タイマーＣ，１５にそれぞれ対応した表示領域からなり、タイマーＡ，１３によって１時間が計時された場合に、Ｌｖ１の表示領域を点灯し、タイマーＢ，１４によって１時間が計時された場合に、Ｌｖ２の表示領域を点灯し、タイマーＣ，１５によって２時間が計時された場合に、Ｌｖ３の表示領域を点灯するため、蓄電状態を表示領域の点灯によって表すので、蓄電状態を容易に把握できる。ここで、蓄電状態表示部１１の画面が、液晶表示画面により構成されていてもよい。これによって、少ない消費電力で表示することができるとともに、他のディジタル表示と兼用することができる。
【００８８】
また、本実施の形態１、２によれば、タイマーＢ，１４が、タイマーＡ，１３によって計時された時間が１時間に達した時点から、電圧検出回路Ａ，４によって、１．２Ｖよりも高い電圧値（たとえば１．５Ｖ）以上の電圧値が連続して検出された時間を計時するため、二次電池２の電圧値を検出し、検出された電圧値を用いて蓄電状態を推定する場合において、二次電池２の電圧値が上がらなかった場合に生じるおそれがある誤表示、すなわち二次電池２の電圧が１．５Ｖを超えていないのにＬｖ２を点灯してしまうことを防止することができる。
【００８９】
また、本実施の形態１、２によれば、さらに、電圧検出回路Ａ，４によって検出された電圧値が２．２Ｖに達した場合に、発電手段１から二次電池２への過剰な電力供給を防止する過充電防止回路６と、２．２Ｖに達した時点から２時間を計時するタイマーＣ，１５と、を備え、蓄電状態表示部１１が、タイマーＣ，１５によって計時された２時間に基づいて蓄電状態表示部１１のＬｖ３の点灯をおこなうため、二次電池の電圧値を検出し、検出された電圧値を用いて蓄電状態を推定する場合において、過剰な電力の供給となる電圧値（２．２Ｖ）に達した場合に生じるおそれがある誤表示、すなわち、２．２Ｖを超えてしまうことで、未だ満充電ではないにもかかわらずＬｖ３（満充電）を表示してしまうことを防止することができる。
【００９０】
また、本実施の形態１、２によれば、タイマーＣ，１５が、２．２Ｖに達した時点から、２．２Ｖよりも低い所定の電圧値（たとえば、１．８Ｖ）以上の電圧値が連続して検出された時間を計時するため、二次電池の電圧値を検出し、検出された電圧値を用いて蓄電状態を推定する場合において、過剰な電力の供給を防止する際の電圧変動に伴って生じるおそれがある誤表示を防止することができる。誤表示とは、たとえば、過充電防止回路６の作動/停止を繰り返すことによって生じる電圧変動で、２．２Ｖ以下となった場合に、タイマーＣ，１５がリセットされてしまって、いつまで経っても２時間を計時できず、満充電になったにもかかわらずＬｖ３が表示されない状態である。
【００９１】
また、本実施の形態１、２によれば、電圧検出回路４，５によって電圧が検出されている間は、過充電防止回路６によって、発電手段１から二次電池２への電力供給を防止するため、二次電池２の電圧値をより正確に検出することができる。
【００９２】
また、本実施の形態１、２によれば、タイマーＣ，１５によって計時された時間に基づいて二次電池２の満充電の表示、すなわちＬｖ３の表示をおこなうことによって、より正確に満充電の表示をおこなうことができる。
【００９３】
なお、本実施の形態における二次電池の蓄積状態表示方法は、あらかじめ用意された、情報処理端末装置に読み取り可能なプログラムであってもよい。そしてそのプログラムを情報処理端末装置や電子時計で実行することによって実現される。このプログラムは、ＨＤ、ＦＤ、ＣＤ−ＲＯＭ、ＭＯ、ＤＶＤなどの情報処理端末装置で読み取り可能な記録媒体に記録され、情報処理端末装置によって記録媒体から読み出されることによって実行される。また、このプログラムは、インターネットなどのネットワークを介して配布することが可能な伝送媒体であってもよい。
【００９４】
また、上記実施の形態においては、電子時計について説明したが、これは、腕時計、置き時計のいずれでもよい。また、電子時計に限定されるものではなく、携帯電話機、ＰＤＡ（Ｐｅｒｓｏｎａｌ  Ｄｉｇｉｔａｌ  Ａｓｓｉｓｔａｎｔ）、ノート型パーソナルコンピュータ、各種計測装置などの情報処理端末装置であってもよい。
【００９５】
【発明の効果】
以上説明したように、この本発明によれば、二次電池の電圧値を検出し、検出された電圧値を用いて蓄電状態を推定する場合において、急激な電圧値の変動などに影響されることがないため、簡易な構成で二次電池の蓄電状態をより正確に表示することが可能な電子時計、二次電池の蓄電状態表示方法、二次電池の蓄電状態表示プログラムおよび情報処理端末装置が得られるという効果を奏する。
【図面の簡単な説明】
【図１】この発明の本実施の形態にかかる電子時計の構成を示すブロック図である。
【図２】この発明の本実施の形態にかかる電子時計の外観を示す上面図である。
【図３】この発明の本実施の形態にかかる電子時計の蓄電状態表示部を示す説明図である。
【図４】この発明の本実施の形態にかかる電子時計の電圧検出回路Ａの動作を示すフローチャートである。
【図５】この発明の本実施の形態にかかる電子時計の電圧検出回路Ｂの動作を示すフローチャートである。
【図６】この発明の本実施の形態にかかる電子時計のセット/リセット付きフリップフロップ（ＳＲＦＦ）の動作を示すフローチャートである。
【図７】この発明の本実施の形態にかかる電子時計のタイマーの動作を示すフローチャートである。
【図８】この発明の本実施の形態にかかる電子時計の二次電池の電圧変化時の状態遷移を示す説明図である。
【図９】この発明の本実施の形態にかかる電子時計の二次電池の電圧変化時の状態遷移を示すフローチャート（その１）である。
【図１０】この発明の本実施の形態にかかる電子時計の二次電池の電圧変化時の状態遷移を示すフローチャート（その２）である。
【図１１】この発明の本実施の形態にかかる電子時計の二次電池の電圧変化時の状態遷移を示すフローチャート（その３）である。
【図１２】二次電池の充電時間と蓄電容量との関係および充電時間と電池電圧との関係を表した図である。
【符号の説明】
１  発電手段
２  二次電池
３  逆流防止ダイオード
４  電圧検出回路Ａ
５  電圧検出回路Ｂ
６  過充電防止回路
１１  蓄電状態表示部
１２  セット／リセット付フリップフロップ（ＳＲＦＦ）
１５  タイマーＣ
１６，１７  ＡＮＤゲート
１８  ＯＲゲート
【図１】
0004294966.tif 000002
【図２】
0004294966.tif 000003
【図３】
0004294966.tif 000004
【図４】
0004294966.tif 000005
【図５】
0004294966.tif 000006
【図６】
0004294966.tif 000007
【図７】
0004294966.tif 000008
【図８】
0004294966.tif 000009
【図９】
0004294966.tif 000010
【図１０】
0004294966.tif 000011
【図１１】
0004294966.tif 000012
【図１２】
0004294966.tif 000013